(57)【要約】【課題】ユーザの操作性が良好な操作装置を提供する。【解決手段】回転操作を受けて回転可能な回転操作体３８と、押圧操作を受けて第１方向に可動な押圧操作体４０と、回転操作体３８の回転に連動して、水栓装置１２の動作状態を変更させることが可能な第１可動弁体３５Ａと、押圧操作体の第１方向での動きに連動して、水栓装置１２の動作状態を変更させることが可能な第２可動弁体３５Ｂと、を備え、押圧操作体４０は、回転操作体３８の内部空間を回転操作体３８の回転軸方向Ｘの片側から覆う位置に設けられる。【選択図】図４
2019173437.tif 000002
【特許請求の範囲】
【請求項１】
回転操作を受けて回転可能な回転操作体と、
押圧操作を受けて第１方向に可動な押圧操作体と、
前記回転操作体の回転に連動して、水栓装置の動作状態を変更させることが可能な第１可動弁体と、
前記押圧操作体の前記第１方向での動きに連動して、前記水栓装置の動作状態を変更させることが可能な第２可動弁体と、を備え、
前記第１可動弁体及び前記第２可動弁体の一方は、複数の水路のなかの少なくとも一つの水路に、水が流れる通水経路を切り替えることで、前記水栓装置の動作状態を変更させることが可能であり、
前記押圧操作体は、前記回転操作体の内部空間を前記回転操作体の回転軸方向の片側から覆う位置に設けられる操作装置。
【請求項２】
前記第１可動弁体と前記第２可動弁体を兼ねる兼用弁体を備える請求項１に記載の操作装置。
【請求項３】
前記兼用弁体は、
前記回転操作体の回転に連動して第１回転態様で回転させられることにより、前記水栓装置の動作状態を第１変更態様で変更させることが可能であり、
前記押圧操作体の前記第１方向での動きに連動して第２回転態様で回転させられることにより、前記水栓装置の動作状態を前記第１変更態様とは異なる第２変更態様で変更させることが可能である請求項２に記載の操作装置。
【請求項４】
前記回転操作体の回転または前記押圧操作体の前記第１方向での動きに連動して、前記第１可動弁体または前記第２可動弁体を回転させる連動機構と、
前記連動機構により回転させられる弁体である回転弁体が着座するとともに弁孔が形成された固定弁体と、を備え、
前記回転弁体は、前記連動機構により回転させられることにより前記弁孔を開閉可能であり、
前記連動機構は、前記回転操作体の回転または前記押圧操作体の前記第１方向での動きに連動して、前記回転弁体を前記固定弁体から離れる方向に動かすことが可能である請求項１から３のいずれかに記載の操作装置。
【請求項５】
前記回転操作体の回転に連動して、前記水栓装置の動作状態を変更させるように前記第１可動弁体を作動させることが可能な第１連動機構と、
前記押圧操作体の前記第１方向での動きに連動して、前記水栓装置の動作状態を変更させるように前記第２可動弁体を作動させることが可能な第２連動機構と、を備え、
前記第１連動機構の一部の構成部品は、前記第２連動機構の一部の構成部品を兼ねている請求項１から４のいずれかに記載の操作装置。
【請求項６】
前記回転操作体が設けられる筒状部を有する装置本体を備え、
前記回転操作体は、前記筒状部の前記回転軸方向での延長上に設けられ、
前記押圧操作体の少なくとも一部は、前記回転操作体の内側に配置される請求項１から５のいずれかに記載の操作装置。
【請求項７】
前記押圧操作体は、前記回転操作体の内側に配置される内側部材と、前記内側部材に対して前記押圧操作体が押圧される押圧方向とは反対側に配置されて外部に露出する外側部材と、を有する請求項１から６のいずれかに記載の操作装置。
【請求項８】
前記回転操作体の内周面と対向する前記内側部材の外周面は、前記外側部材の外周面より摩擦抵抗が小さくなるように設定される請求項７に記載の操作装置。
【請求項９】
前記回転操作体が設けられる筒状部を有する装置本体と、
前記押圧操作体が押圧操作を受ける毎に、前記第１方向での位置を切り替え可能に前記押圧操作体を保持する位置切替機構と、を備え、
前記回転操作体及び前記筒状部の一方は、前記回転操作体により変更可能な前記水栓装置の動作状態を表示する状態表示部を有し、
前記回転操作体及び前記筒状部の他方は、前記状態表示部と協働して、前記回転操作体により選択されている前記水栓装置の動作状態を特定するための状態特定部を有する請求項１から８のいずれかに記載の操作装置。
【請求項１０】
前記第１可動弁体は、前記回転操作体の回転に連動して、前記水栓装置の動作状態を択一的に切り替え可能であり、
前記第２可動弁体は、前記押圧操作体の前記第１方向での動きに連動して、前記水栓装置の動作状態を択一的に切り替え可能である請求項１から９のいずれかに記載の操作装置。
【請求項１１】
前記回転操作体が先端部に設けられる筒状部を有する装置本体と、
前記押圧操作体の前記第１方向での動きに連動して、前記水栓装置の動作状態を変更させるように前記第２可動弁体を作動させることが可能な第２連動機構と、を備え、
前記回転操作体の一部は、前記筒状部の先端部の内側に配置され、
前記押圧操作体または前記第２連動機構の少なくとも一方は、前記筒状部の先端部の内側で、かつ、前記回転操作体の内側に配置される請求項１から１０のいずれかに記載の操作装置。
【請求項１２】
前記水栓装置は水栓本体を備え、
前記水栓本体は、第１筒状部と、前記第１筒状部の外周部から突出するとともに吐水部が設けられる第２筒状部とを有し、
前記回転操作体は、前記第１筒状部の先端部に設けられる請求項１から１１のいずれかに記載の操作装置。
【請求項１３】
前記水栓装置は水栓本体を備え、
前記水栓本体は、第１筒状部と、前記第１筒状部の外周部から突出するとともに吐水部が設けられる第２筒状部とを有し、
前記第１可動弁体及び前記第２可動弁体は、前記第１筒状部の内側に配置される請求項１から１２のいずれかに記載の操作装置。
【請求項１４】
請求項１から１３のいずれかに記載の操作装置を備える水栓装置。
【発明の詳細な説明】
【技術分野】
【０００１】
本発明は、水栓装置に用いられる操作装置に関する。
【背景技術】
【０００２】
特許文献１には、浄水流路からの流出と原水流路からの流出とを切り替える流路切替弁と、ストレート吐出口からの吐出とシャワー吐出口からの吐出とを切り替える吐出切替弁とを組み込んだシャワーヘッドが記載されている。このシャワーヘッドは、流路切替弁を操作可能な押しボタンと、ストレート吐出口やシャワー吐出口が形成されるとともに吐出切替弁を操作可能なスクリーン部材とを備えている。
【先行技術文献】
【特許文献】
【０００３】
【特許文献１】特開２００１−１７３４２号公報
【発明の概要】
【発明が解決しようとする課題】
【０００４】
特許文献１の開示技術では、有底筒状のスクリーン部材と、スクリーン部材とは別の箇所に設けられる押しボタンとを用いて水栓装置の動作状態を変更させている。このように、特許文献１の開示技術では、水栓装置の動作状態の変更に用いられる個別の操作体が離れた箇所に設けられている。よって、個別の操作体を操作するうえで、ユーザが腕を大きく動かす必要があり、ユーザの操作性の低下を招くという問題がある。
【０００５】
本発明のある態様は、このような課題に鑑みてなされ、その目的の１つは、ユーザの操作性が良好な操作装置を提供することにある。
【課題を解決するための手段】
【０００６】
前述の課題を解決するための本発明の第１態様は操作装置である。第１態様の操作装置は、回転操作を受けて回転可能な回転操作体と、押圧操作を受けて第１方向に可動な押圧操作体と、前記回転操作体の回転に連動して、水栓装置の動作状態を変更させることが可能な第１可動弁体と、前記押圧操作体の前記第１方向での動きに連動して、前記水栓装置の動作状態を変更させることが可能な第２可動弁体と、を備え、前記第１可動弁体及び前記第２可動弁体の一方は、複数の水路のなかの少なくとも一つの水路に、水が流れる通水経路を切り替えることで、前記水栓装置の動作状態を変更させることが可能であり、前記押圧操作体は、前記回転操作体の内部空間を前記回転操作体の回転軸方向の片側から覆う位置に設けられる。
【０００７】
第１態様によれば、水栓装置の動作状態を変更するにあたり、ユーザにより操作される箇所を回転操作体の近くに集約でき、ユーザの操作性が良好となる。
【図面の簡単な説明】
【０００８】
【図１】第１実施形態の水栓装置を示す斜視図である。
【図２】第１実施形態の水栓装置の設置状態を示す平面図である。
【図３】第１実施形態の水栓装置の一部の側面断面図である。
【図４】図３の拡大図である。
【図５】第１実施形態の給水路の一部を模式的に示す説明図である。
【図６】図４の一部の拡大図である。
【図７】図４の一部の他の拡大図である。
【図８】図７の内部本体部品のＡ−Ａ線断面図である。
【図９】図７の兼用弁体、内部本体部品及びシャフトのＡ−Ａ線断面図である。
【図１０】図９のＢ−Ｂ線断面図である。
【図１１】図９のＣ−Ｃ線断面図である。
【図１２】図１２（ａ）は、回転ハンドルによりストレート吐水が選択されている状態を示す図であり、図１２（ｂ）は、回転ハンドルによりシャワー吐水が選択されている状態を示す図である。
【図１３】図１３（ａ）は、押しボタンにより原水が選択されている状態を示し、図１３（ｂ）は、押しボタンにより改質水が選択されている状態を示す。
【図１４】図４の状態から押しボタンの保持位置が変化した状態を示す図である。
【図１５】第１実施形態の押しボタンが押圧操作を受けている途中状態を示す図である。
【図１６】図１６（ａ）は、水栓装置の動作状態が原水の吐き出しである状態を示す図であり、図１６（ｂ）は、水栓装置の動作状態が改質水の吐き出しである状態を示す図である。
【図１７】図１７（ａ）は、水栓装置の動作状態がストレート吐水である状態を示す図であり、図１７（ｂ）は、水栓装置の動作状態がシャワー吐水である状態を示す図である。
【図１８】第２実施形態の水栓装置を示す図である。
【図１９】第２実施形態の水栓装置を示す他の図である。
【図２０】図２０（ａ）は、図１８のＥ−Ｅ線断面図であり、図２０（ｂ）は、図１９のＦ−Ｆ線断面図である。
【図２１】第３実施形態の水栓装置を示す図である。
【図２２】第３実施形態の水栓装置を示す他の図である。
【図２３】図２３（ａ）は、図２１の第１可動弁体のＧ−Ｇ線断面図であり、図２３（ｂ）は、図２３（ａ）の位置から第１可動弁体を回転させた状態を示す図である。
【発明を実施するための形態】
【０００９】
以下、実施形態、変形例では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。本明細書での「接触」とは、特に明示がない限り、言及している二者が直接的に接触する場合の他に、他の部材を介して間接的に接触する場合も含む。
【００１０】
（第１の実施の形態）
図１は、第１実施形態の操作装置１０が用いられる水栓装置１２を示す斜視図である。水栓装置１２は、水栓装置１２の構成部品を収容する水栓本体１４と、下向きに水を吐き出し可能な吐水部１６とを備える。水栓本体１４は、先端側部分に吐水部１６が設けられたスパウト部１８を有する。水栓装置１２は、ユーザにより操作される操作部材２０と、操作部材２０に対する操作を通じて吐水部１６から吐き出される水の流量を調整可能な弁ユニット２２とを備える。本実施形態において、操作部材２０はシングルレバーであり、弁ユニット２２は操作部材２０に対する操作を通じて水の温度も調整可能である。
【００１１】
図２は、水栓装置１２の設置状態を示す平面図である。水栓装置１２の水栓本体１４は、たとえば、流し台、洗面台、洗面キャビネット等の基体２４に設置される。本実施形態の基体２４は、正面側（図２の下側）に居るユーザの作業に用いられるカウンター２６と、カウンター２６に一体化された水受槽２８と、を備える。水受槽２８は、たとえば、キッチンシンク、洗面ボウル等である。
【００１２】
図３は、水栓装置１２の一部の側面断面図である。図１、図３に示すように、水栓本体１４は、ベース部１４ａと、ベース部１４ａに脱着可能に装着される本体部１４ｂと、を有する。ベース部１４ａは、スパウト部１８の基端部を含む箇所を構成し、本体部１４ｂは、スパウト部１８の先端側部分となる吐水ヘッドを構成する。
【００１３】
本実施形態の水栓本体１４の本体部１４ｂは、外部本体部品４３と、内部本体部品４４と、を有する。本実施形態の外部本体部品４３は、第１筒状部４３ａと、第１筒状部４３ａの外周部から突出する第２筒状部４３ｂとを有する。第２筒状部４３ｂには吐水部１６が設けられる。本実施形態の第１筒状部４３ａは、ユーザにより把持されるグリップ部を構成する。本実施形態の吐水部１６は、水栓本体１４とは別体であり、第２筒状部４３ｂ内に配置される吐水部材が構成する。
【００１４】
図４は、図３の拡大図である。内部本体部品４４は、外部本体部品４３の第１筒状部４３ａに収容される。内部本体部品４４は、基端側の筒状の第１本体部材４６と、先端側の第２本体部材４８とを有する。第１本体部材４６にはカートリッジ３４が収容される。
【００１５】
吐水部１６は、複数の異なる吐水態様で水を吐き出し可能である。この吐水態様には、第１吐水態様としての、単数の水流を吐き出すストレート吐水と、第２吐水態様としての、シャワー状の複数の水流を吐き出すシャワー吐水とが含まれる。吐水部１６は、第１吐水態様で水を吐き出すためのストレート吐水穴１６ａ（第１吐水穴）と、第２吐水態様で水を吐き出すための複数のシャワー吐水穴１６ｂ（第２吐水穴）とを有する。
【００１６】
図５は、水栓本体１４の内部に形成される給水路３０の一部を模式的に示す説明図である。給水路３０は、水源側から弁ユニット２２を通して送られる水を吐水部１６に供給するためのものである。給水路３０は、弁ユニット２２により流量の調整された水が供給される上流側水路３０Ａ、３０Ｂと、上流側水路３０Ａ、３０Ｂから水が供給される下流側水路３２Ａ、３２Ｂとを有する。
【００１７】
本実施形態の上流側水路３０Ａ、３０Ｂには、下流側水路３２Ａ、３２Ｂに原水を供給するための原水水路３０Ａ（第１上流側水路）と、下流側水路３２Ａ、３２Ｂに改質水を供給するための改質水水路３０Ｂ（第２上流側水路）とが含まれる。改質水は、カートリッジ３４内の改質材により原水を改質することで生成される。本実施形態のカートリッジ３４は、水栓本体１４のスパウト部１８内に収容される。本明細書での「改質」とは、物理変化や化学変化を経て、特定の成分を原水から除去又は原水に付与することをいう。本実施形態の改質材は活性炭であり、原水の残留塩素の除去により改質水として浄水を生成する。
【００１８】
本実施形態の下流側水路３２Ａ、３２Ｂには、ストレート吐水穴１６ａに水を供給するためのストレート用水路３２Ａ（第１下流側水路）と、シャワー吐水穴１６ｂに水を供給するためのシャワー用水路３２Ｂ（第２下流側水路）とが含まれる。
【００１９】
給水路３０には、上流側水路３０Ａ、３０Ｂと下流側水路３２Ａ、３２Ｂの間に兼用弁体３６が設けられる。本実施形態の兼用弁体３６は、複数の上流側水路３０Ａ、３０Ｂのなかからいずれかの上流側水路３０Ａ、３０Ｂに、水が流れる通水経路を切り替え可能である。また、本実施形態の兼用弁体３６は、複数の下流側水路３２Ａ、３２Ｂのなかからいずれかの下流側水路３２Ａ、３２Ｂに、水が流れる通水経路を切り替え可能である。
【００２０】
図４に戻り、水栓装置１２は、水栓装置１２の動作状態を変更するための操作装置１０を備える。操作装置１０は、回転操作を受けて回転可能な回転ハンドル３８（回転操作体）と、押圧操作を受けてＸ方向に可動な押しボタン４０（押圧操作体）と、を備える。Ｘ方向は、押しボタン４０が押圧操作を受けたときに押しボタン４０が押圧される押圧方向Ｘｐと平行な方向である。Ｘ方向は、回転ハンドル３８の回転軸方向でもある。以下、Ｘ方向の押圧方向Ｘｐを基端側ともいい、Ｘ方向で押圧方向Ｘｐとは反対側の反押圧方向Ｘｏを先端側ともいう。また、Ｘ方向の方向軸を中心とする円の円周方向、半径方向を単に「周方向」、「径方向」ともいう。
【００２１】
操作装置１０は、操作装置１０の構成部品を収容する装置本体４２を備える。本実施形態の装置本体４２は、水栓本体１４が兼ねている。
【００２２】
第２本体部材４８は、基端側の弁体収容部４８ａ（第１収容部）と、先端側の機構収容部４８ｂ（第２収容部）と、弁体収容部４８ａと機構収容部４８ｂの間に設けられる水路形成部４８ｃとを有する。弁体収容部４８ａは、基端側に向かって開くとともに先端側に底部を有する有底筒状をなす。機構収容部４８ｂは、先端側に向かって開くとともに基端側に底部を有する有底筒状をなす。水路形成部４８ｃには、水路形成部４８ｃをＸ方向に貫通する貫通孔４８ｄと、前述の複数の下流側水路３２Ａ、３２Ｂとが形成される。本図では、単数の下流側水路３２Ａの通水方向のみ示す。
【００２３】
図６は、図４の一部の拡大図である。回転ハンドル３８は、後述の受け部材６８を介して装置本体４２に回転可能に支持される。回転ハンドル３８は筒状の外周壁部３８ｃを有する。本実施形態の外周壁部３８ｃは、Ｘ方向の両側に向かって開放する開口部を有するとともに円筒状をなす。外周壁部３８ｃは、基端側の小外径部３８ｄと、小外径部３８ｄより大きい外径を持つ先端側の大外径部３８ｅとを有する。小外径部３８ｄは、装置本体４２の第１筒状部４３ａ内に先端開口部から差し込まれる。大外径部３８ｅは、装置本体４２の外部に露出する。大外径部３８ｅは、ユーザによる回転操作を受ける。大外径部３８ｅの外周面には、ユーザの操作性を高めるために、他の箇所より摩擦抵抗を大きくするための滑り止め構造が設けられる。本実施形態の滑り止め構造は微小な凹凸構造である。
【００２４】
押しボタン４０は、後述の受け部材６８を介して装置本体４２にＸ方向に移動可能に支持される。押しボタン４０は、回転ハンドル３８の内部空間３８ａを反押圧方向Ｘｏから覆う位置に設けられる。本実施形態の押しボタン４０は、回転ハンドル３８とは別体であり、回転ハンドル３８と独立して動作可能である。押しボタン４０は、ユーザによる押圧操作を受ける円盤状の端面部４０ａと、端面部４０ａから基端側に延びる筒状の中空軸部４０ｂとを有する。
【００２５】
図７は、図４の一部の他の拡大図である。操作装置１０は、第１可動弁体３５Ａと第２可動弁体３５Ｂを備える。本実施形態の操作装置１０は、第１可動弁体３５Ａと第２可動弁体３５Ｂを兼ねる兼用弁体３６と、兼用弁体３６が着座可能な固定弁体５０とを備える。兼用弁体３６は、Ｘ方向の方向軸周りに回転する回転弁体でもある。兼用弁体３６は、装置本体４２の弁体収容部４８ａに収容される。
【００２６】
第１可動弁体３５Ａは、回転ハンドル３８の回転に連動して、水栓装置１２の動作状態を第１変更態様で変更させることが可能である。本実施形態の第１変更態様は、吐水部１６の吐水態様の切り替えである。詳しくは、ストレート吐水とシャワー吐水の間で吐水部１６の吐水態様を択一的に切り替える。
【００２７】
第２可動弁体３５Ｂは、押しボタン４０のＸ方向での動きに連動して、水栓装置１２の動作状態を第１変更態様とは異なる第２変更態様で変更させることが可能である。本実施形態の第２変更態様は、吐水部１６から吐き出される水の種類の切り替えである。詳しくは、吐水部１６から吐き出される水を改質水と原水の間で択一的に切り替える。
【００２８】
兼用弁体３６は、固定弁体５０とＸ方向に対向する弁体対向部３６ａと、弁体対向部３６ａから基端側に延びる弁軸部３６ｂとを有する。本実施形態の兼用弁体３６は、弁体対向部３６ａの一部と他の部位を構成する本体部材５２と、弁体対向部３６ａの一部を構成するとともに本体部材５２と一体化されたシール部材５４とを有する。シール部材５４は、ゴム等の弾性体が構成している。
【００２９】
本実施形態の弁軸部３６ｂは、基端側に向かって開くとともに先端側に底部を有する有底筒状をなす。弁軸部３６ｂの外部には、装置本体４２との間に原水水路３０Ａの一部が形成される。弁軸部３６ｂの内部には、改質水水路３０Ｂの一部が形成される。
【００３０】
図８は、図７の内部本体部品４４のＡ−Ａ線断面図である。本実施形態の固定弁体５０は、第２本体部材４８の弁体収容部４８ａの底面部が構成する。兼用弁体３６が着座する固定弁体５０の座面には複数の弁孔５６Ａ、５６Ｂが開口する。複数の弁孔５６Ａ、５６Ｂには、ストレート用水路３２Ａの上流側端部が構成するストレート用弁孔５６Ａ（第１下流側水路用弁孔）と、シャワー用水路３２Ｂの上流側端部が構成するシャワー用弁孔５６Ｂ（第２下流側水路用弁孔）とが含まれる。
【００３１】
図９は、図７の兼用弁体３６、内部本体部品４４及びシャフト６４のＡ−Ａ線断面図である。本図では兼用弁体３６のハッチングを省略する。図１０は、図９の兼用弁体３６及びシャフト６４のＢ−Ｂ線断面図である。図１１は、図９の兼用弁体３６及びシャフト６４のＣ−Ｃ線断面図である。本実施形態の兼用弁体３６の弁体対向部３６ａは円盤状をなす。弁体対向部３６ａには、複数の上流側水路３０Ａ、３０Ｂに個別に連通する複数種の通水孔５８Ａ、５８Ｂが形成される。複数種の通水孔５８Ａ、５８Ｂには、原水水路３０Ａに連通する原水通水孔５８Ａ（第１通水孔）と、改質水水路３０Ｂに連通する改質水通水孔５８Ｂ（第２通水孔）とが含まれる。複数種の通水孔５８Ａ、５８Ｂは、所定の並び順で周方向に並べられる。本実施形態での並び順は原水通水孔５８Ａと改質水通水孔５８Ｂが交互に位置することである。本実施形態の原水通水孔５８Ａは合計２つ形成され、改質水通水孔５８Ｂは合計２つ形成される。
【００３２】
弁体対向部３６ａは、弁孔５６Ａ、５６ＢとＸ方向に重なる位置に通水孔５８Ａ、５８Ｂが配置されるとき、その弁孔５６Ａ、５６Ｂを開く。このとき、弁孔５６Ａ、５６Ｂが構成する下流側水路３２Ａ、３２Ｂと、通水孔５８Ａ、５８Ｂに連通される上流側水路３０Ａ、３０Ｂとが連通される。弁体対向部３６ａは、弁孔５６Ａ、５６ＢとＸ方向に重なる位置に通水孔５８Ａ、５８Ｂ以外の箇所が配置されるとき、その弁孔５６Ａ、５６Ｂを閉じる。図９では、ストレート用弁孔５６Ａが開き、シャワー用弁孔５６Ｂが閉じている状態を示す。兼用弁体３６は、自らが回転することによって弁孔５６Ａ、５６Ｂを開閉可能である。
【００３３】
図７に戻り、弁体対向部３６ａは、固定弁体５０に着座するシール面３６ｃを有する。本実施形態のシール面３６ｃはシール部材５４が構成している。兼用弁体３６のシール面３６ｃが固定弁体５０に着座することで、兼用弁体３６と固定弁体５０の間がシールされ、兼用弁体３６が閉じている弁孔５６Ａ、５６Ｂと通水孔５８Ａ、５８Ｂとの間の連通が断たれる。
【００３４】
図４に戻り、操作装置１０は、回転ハンドル３８の回転に連動して兼用弁体３６（第１可動弁体３５Ａ）を作動させることが可能な第１連動機構６０Ａと、押しボタン４０のＸ方向での動きに連動して兼用弁体３６（第２可動弁体３５Ｂ）を作動させることが可能な第２連動機構６０Ｂと、を備える。これらは後述する。
【００３５】
以上の操作装置１０の動作を説明する。図１２は、回転ハンドル３８の動作の説明図である。図１２（ａ）は、回転ハンドル３８によりストレート吐水が選択されている状態を示し、図１２（ｂ）は、回転ハンドル３８によりシャワー吐水が選択されている状態を示す。図１２の上段は、吐水部１６から吐き出される水を示し、図１２の下段は、兼用弁体３６と固定弁体５０の位置関係を示す。図１３も同様である。本図では、兼用弁体３６の回転位置を示すために兼用弁体３６に原点Ｐｏを付す。
【００３６】
本実施形態の第１連動機構６０Ａは、回転ハンドル３８の回転に連動して、兼用弁体３６を第１回転態様で回転させる。兼用弁体３６は、回転ハンドル３８の回転に連動して回転するとき、不図示の回転制限機構により、所定の第１角度θ１の範囲に回転可能範囲が制限されている。回転制限機構は、回転ハンドル３８と一体的に回転する第１回転規制部（不図示）と、装置本体４２に設けられ、第１回転規制部との接触により回転ハンドル３８の回転を規制する第２回転規制部（不図示）との組み合わせである。本実施形態の第１回転態様とは、このように所定の第１角度θ１の範囲に兼用弁体３６の回転可能範囲が制限されているもと、回転ハンドル３８の回転量に応じた回転量で兼用弁体３６を回転させることである。本例では第１角度θ１＝４５°である。
【００３７】
図１２（ａ）の例では、兼用弁体３６が回転可能範囲の一端位置に配置されている。この場合に、本例では、複数の原水通水孔５８Ａのうち一つの原水通水孔５８Ａが、ストレート用弁孔５６Ａが構成するストレート用水路３２Ａに連通される。これにより、原水水路３０Ａがストレート用水路３２Ａが連通され、原水水路３０Ａからストレート用水路３２Ａに原水が供給され、吐水部１６からストレート吐水の吐水態様で原水が吐き出される。
【００３８】
図１２（ｂ）の例では、兼用弁体３６を第１角度θ１で回転可能範囲の他端位置まで回転させている。この場合に、本例では、複数の原水通水孔５８Ａのうち他の原水通水孔５８Ａが、シャワー用弁孔５６Ｂが構成するシャワー用水路３２Ｂに連通される。これにより、原水水路３０Ａがシャワー用水路３２Ｂに連通され、原水水路３０Ａからシャワー用水路３２Ｂに原水が供給され、吐水部１６からシャワー吐水の吐水態様で原水が吐き出される。
【００３９】
このように、兼用弁体３６は、第１回転態様で回転することによって、複数の下流側水路３２Ａ、３２Ｂのなかからいずれかの下流側水路３２Ａ、３２Ｂに特定種の通水孔５８Ａ、５８Ｂの連通先を切り替える。この結果、複数の下流側水路３２Ａ、３２Ｂのなかからいずれかの下流側水路３２Ａ、３２Ｂに、給水路３０において水が流れる通水経路を切り替える。これにより、兼用弁体３６は、吐水部１６から吐き出される水が、ストレート吐水とシャワー吐水の間で切り替わるように、水栓装置１２の動作状態を択一的に切り替える。このように、兼用弁体３６は、回転ハンドル３８の回転に連動して、水栓装置１２の動作状態を第１変更態様で変更させる。本実施形態では、回転ハンドル３８の回転位置によって、水栓装置１２の動作状態が切り替わる。
【００４０】
このように兼用弁体３６が第１変更態様で回転するとき、前述の特定種の通水孔５８Ａ、５８Ｂとは別の通水孔５８Ａ、５８Ｂは、その回転の前後で兼用弁体３６により全ての下流側水路３２Ａ、３２Ｂとの連通が絶たれた状態が維持される。ここでの「別の通水孔５８Ａ、５８Ｂ」とは、上の例でいえば、改質水通水孔５８Ｂである。
【００４１】
図１３は、押しボタン４０の動作の説明図である。図１３（ａ）は、押しボタン４０により原水Ｗａが選択されている状態を示し、図１３（ｂ）は、押しボタン４０により改質水Ｗｂが選択されている状態を示す。
【００４２】
本実施形態の第２連動機構６０Ｂは、押しボタン４０のＸ方向での動きに連動して、兼用弁体３６を第２回転態様で回転させる。本実施形態の第２回転態様とは、押しボタン４０が押圧操作を受ける毎に、所定の第２角度θ２で周方向の一方側に兼用弁体３６を回転させることである。第２角度θ２は、円周をＮ等分する角度であって、第１角度θ１より大きい角度である。Ｎは２以上の自然数であり、本例ではＮ＝４、第２角度θ２＝９０°である。
【００４３】
この第２角度θ２は、複数種の通水孔５８Ａ、５８Ｂの位置と対応している。詳しくは、複数種の通水孔５８Ａ、５８Ｂは第２角度θ２を空けた箇所毎に位置するように並べられる。これにより、兼用弁体３６を角度θ２で回転させる毎に、複数種の通水孔５８Ａ、５８Ｂの並び順に応じた順番で、複数の下流側水路３２Ａ、３２Ｂのうち特定の下流側水路３２Ａ、３２Ｂに連通する通水孔５８Ａ、５８Ｂが切り替わる。
【００４４】
図１３（ａ）の例では、原水通水孔５８Ａがストレート用弁孔５６Ａが構成するストレート用水路３２Ａに連通している。このとき、原水水路３０Ａからストレート用水路３２Ａに原水が供給され、吐水部１６からストレート吐水の吐水態様で原水Ｗａが吐き出される。
【００４５】
この場合に、兼用弁体３６が第２角度θ２の角度で周方向の一方側に回転すると、図１３（ｂ）に示すように、ストレート用水路３２Ａに連通する通水孔５８Ａ、５８Ｂは、原水通水孔５８Ａから改質水通水孔５８Ｂに切り替わる。このとき、改質水通水孔５８Ｂからストレート用水路３２Ａに改質水が供給され、吐水部１６からストレート吐水の吐水態様で改質水Ｗｂが吐き出される。
【００４６】
兼用弁体３６が第２角度θ２の角度で周方向の一方側にさらに回転すると、ストレート用水路３２Ａに連通する通水孔５８Ａ、５８Ｂは、改質水通水孔５８Ｂから原水通水孔５８Ａに切り替わる。
【００４７】
このように、兼用弁体３６は、第２回転態様で回転することによって、複数の上流側水路３０Ａ、３０Ｂのなかからいずれかの上流側水路３０Ａ、３０Ｂに、給水路３０において水が流れる通水経路を切り替える。これにより、兼用弁体３６は、吐水部１６から吐き出される水が、原水Ｗａと改質水Ｗｂとの間で切り替わるように、水栓装置１２の動作状態を択一的に切り替える。このように、兼用弁体３６は、押しボタン４０のＸ方向での動きに連動して、水栓装置１２の動作状態を第１変更態様とは異なる第２変更態様で変更させる。本実施形態では、押しボタン４０が押圧操作を受ける度に、水栓装置１２の動作状態が切り替わる。
【００４８】
このように兼用弁体３６が第２回転態様で回転するとき、特定の下流側水路３２Ａ、３２Ｂとは別の下流側水路３２Ａ、３２Ｂは、その回転の前後で兼用弁体３６によりすべての通水孔５８Ａ、５８Ｂとの連通が絶たれた状態が維持される。ここでの「別の下流側水路３２Ａ、３２Ｂ」とは、上の例でいえば、シャワー用水路３２Ｂである。
【００４９】
操作装置１０の効果を説明する。
【００５０】
（Ａ１）押しボタン４０は、回転ハンドル３８の内部空間３８ａを反押圧方向Ｘｏから覆う位置に設けられる。よって、水栓装置１２の動作状態を変更するにあたり、ユーザにより操作される箇所を回転ハンドル３８の近くに集約できる。このため、ユーザが腕を大きく動かすことなく回転ハンドル３８や押しボタン４０を操作でき、ユーザの操作性が良好となる。
【００５１】
（Ａ２）水栓装置１２の動作状態の第１変更態様による変更操作に用いる箇所と、第２変更態様による変更操作に用いる箇所とが、個別の操作体（回転ハンドル３８、押しボタン４０）に分けられている。よって、これらの変更操作に用いる箇所を単数の操作体に担わせる場合と比べ、ユーザにとって操作体により変更される対象が分かり易くなり、ユーザの操作性が良好となる。
【００５２】
第１可動弁体３５Ａと第２可動弁体３５Ｂは兼用弁体３６が兼ねている。よって、第１可動弁体３５Ａと第２可動弁体３５Ｂを別体に構成する場合と比べ、操作装置１０の部品点数を削減でき、装置コストの低減を図れる。
【００５３】
兼用弁体３６は、第１回転態様及び第２回転態様のそれぞれで回転させられることにより水栓装置１２の動作状態を異なる変更態様で変更させることができる。よって、兼用弁体３６を回転させるだけで、水栓装置１２の動作状態の異なる変更態様での変更を実現できる。
【００５４】
（Ｂ）兼用弁体３６が構成する第１可動弁体３５Ａは、回転ハンドル３８の回転に連動して、水栓装置１２の動作状態を択一的に切り替え可能である。また、兼用弁体３６が構成する第２可動弁体３５Ｂは、押しボタン４０のＸ方向での動きに連動して、水栓装置１２の動作状態を択一的に切り替え可能である。よって、４パターン以上の水栓装置１２の動作状態の切り替えを実現するうえでも、ユーザにより操作される箇所を回転ハンドル３８の近くに集約でき、ユーザの操作性が良好となる。
【００５５】
次に、前述の第１連動機構６０Ａ及び第２連動機構６０Ｂに関連する構成を説明する。本実施形態の第１連動機構６０Ａの一部の構成部品は、第２連動機構６０Ｂの一部の構成部品を兼ねている。ここでの「一部の構成部品」とは、次に説明する位置切替機構６２、シャフト６４である。本実施形態では、両者に共通する内容を第１連動機構６０Ａを用いて説明する。第１連動機構６０Ａの構成部品は、第２本体部材４８の機構収容部４８ｂ内に収容される。第１連動機構６０Ａは、位置切替機構６２と、シャフト６４と、第１付勢部材６６と、を備える。
【００５６】
図１４は、図４の状態から押しボタン４０の保持位置が変化した状態を示す図である。図４、図１４に示すように、位置切替機構６２は、押しボタン４０が押圧操作を受ける毎に、押しボタン４０のＸ方向での位置を切り替え可能に押しボタン４０を保持する。本実施形態の位置切替機構６２は、スラストロック機構である。位置切替機構６２により押しボタン４０が保持される位置を保持位置という。
【００５７】
位置切替機構６２は、図６に示すように、受け部材６８と、回転子７０と、運動変換機構（不図示）と、第２付勢部材７２と、を有する。
【００５８】
受け部材６８は、全体として筒状をなす。受け部材６８は、装置本体４２の機構収容部４８ｂの外周壁部に対する摺動を伴い、装置本体４２に回転可能に支持される。回転ハンドル３８は、受け部材６８に対して、一体的に回転可能、かつ、Ｘ方向に相対移動不能に取り付けられる。押しボタン４０は、受け部材６８に対してＸ方向に移動可能にガイドされ、かつ、受け部材６８と一体的に回転可能に設けられる。
【００５９】
回転子７０は、全体としてＸ方向に延びる軸体である。回転子７０は、受け部材６８の内周面に対する摺動を伴い、Ｘ方向に移動可能に受け部材６８に支持される。回転子７０は、受け部材６８の内周面に形成されるカム部（不図示）との接触により回転が規制される回転規制位置と、その規制が解除される規制解除位置との間を移動可能である。
【００６０】
第２付勢部材７２は、回転子７０を反押圧方向Ｘｏに付勢可能である。本実施形態の第２付勢部材７２は、弾性体の一例となるコイルスプリングである。
【００６１】
運動変換機構は、押しボタン４０の押圧方向Ｘｐでの動きを回転子７０の回転に変換可能である。本実施形態の運動変換機構７６は、押しボタン４０、受け部材６８のカム部に形成されたカム面と、回転子７０に形成されたカム受け面とを有するカム機構である。
【００６２】
シャフト６４は、回転ハンドル３８や押しボタン４０に連動する位置切替機構６２の構成部品（回転子７０）の動きを、兼用弁体３６に伝達する伝達部材の一例となる。シャフト６４は、回転子７０と一体的に回転可能で、回転子７０と一体的に押圧方向Ｘｐに移動可能に設けられる。シャフト６４は、装置本体４２の貫通孔４８ｄに挿通される。シャフト６４の基端側の端部は、兼用弁体３６と一体的に回転可能、かつ、兼用弁体３６と一体的にＸ方向に移動可能に設けられる。
【００６３】
第１付勢部材６６は、押しボタン４０の押圧方向での動きに連動した弁体３６の移動方向とは反対側に弁体３６を付勢可能である。ここでの「弁体３６の移動方向」とは、本実施形態では押圧方向Ｘｐである。本実施形態の第１付勢部材６６は、弾性体の一例となるコイルスプリングである。
【００６４】
以上の操作装置１０の動作を説明する。押しボタン４０が押圧操作を受けていないとき、回転子７０は、第２付勢部材７２により反押圧方向Ｘｏに付勢されることで回転規制位置に保持され、受け部材６８に対する相対回転が規制される。このため、回転ハンドル３８が回転すると、回転ハンドル３８と一体的に受け部材６８、回転子７０、シャフト６４及び兼用弁体３６が回転する。第１連動機構６０は、回転ハンドル３８の回転に連動して、回転ハンドル３８の回転量に応じた回転量で兼用弁体３６を回転させることになる。
【００６５】
押しボタン４０が押圧操作を受けると、押しボタン４０により回転子７０が押圧方向Ｘｐに動かされる。回転子７０が規制解除位置まで動くと、運動変換機構と第２付勢部材７２の付勢力によって、回転子７０が所定の第２角度θ２で回転しつつ反押圧方向Ｘｏに動かされる。
【００６６】
以上の動作を経ることで、押しボタン４０が押圧操作を受ける毎に、回転子７０は、前述の第２角度の分だけ回転する。位置切替機構６２は、回転子７０が前述の第２角度の分だけ回転する毎に、回転子７０のＸ方向での保持位置が切り替わるように構成される。回転子７０の保持位置の切り替えにより、押しボタン４０のＸ方向での保持位置も切り替えられる。
【００６７】
図１５は、押しボタン４０が押圧操作を受けている途中状態を示す図である。押しボタン４０が押圧操作を受ける毎に、回転子７０と一体的に兼用弁体３６やシャフト６４が押圧方向Ｘｐに押圧される。これにより、兼用弁体３６は固定弁体５０から離れる方向である押圧方向Ｘｐに動かされる。兼用弁体３６は、第１付勢部材６６の付勢力に抗して押圧方向Ｘｐに動かされる。押しボタン４０の押圧操作に伴い回転子７０が回転すると、回転子７０と一体的に弁体３６やシャフト６４が回転する。押しボタン４０による押圧方向Ｘｐでの押圧が解除されると、図４に示すように、第１付勢部材６６の付勢力により、兼用弁体３６やシャフト６４が固定弁体５０に近づく方向である反押圧方向Ｘｏに動かされ、兼用弁体３６が固定弁体５０に着座する。これにより、前述のように、水栓装置１２の動作状態が変更される。このように、位置切替機構６２は、押しボタン４０が押圧操作を受ける毎に、兼用弁体３６を固定弁体５０から離れる方向に移動させてから回転させることが可能である。
【００６８】
以上の操作装置１０の効果を説明する。
【００６９】
（Ｃ）第１連動機構６０Ａの構成部品は第２連動機構６０Ｂの構成部品を兼ねている。よって、各連動機構６０Ａ、６０Ｂの構成部品を別体にする場合と比べ、操作装置１０の部品点数を削減でき、装置コストの低減を図れる。
【００７０】
（Ｄ）押しボタン４０の押圧方向Ｘｐでの動きに連動して、兼用弁体３６を固定弁体５０から離れる押圧方向Ｘｐに動かすことが可能である。仮に、押しボタン４０が押圧操作を受けたとき、固定弁体５０に対する摺動を伴い兼用弁体３６を回転させると、固定弁体５０と兼用弁体３６との間の摩擦抵抗の影響を受ける。この点、本実施形態によれば、押しボタン４０が押圧操作を受けたときに、このような摩擦抵抗の影響を受けることなく、兼用弁体３６を固定弁体５０から離すことができる。よって、兼用弁体３６が固定弁体５０に固着したときでも、兼用弁体３６を固定弁体５０から容易に引き離せる。
【００７１】
位置切替機構６２は、押しボタン４０が押圧操作を受ける毎に、押圧方向Ｘｐに移動させてから弁体３６を回転させることが可能である。よって、水栓装置１２の動作状態を変更する場合に、弁体３６と固定弁体５０の間の摩擦抵抗の影響を受けることなく、弁体３６を回転させることができる。
【００７２】
操作装置１０の他の特徴を説明する。図１６は、押しボタン４０の保持位置と水栓装置１２の動作状態との関係を示す図である。図１６（ａ）は、水栓装置１２の動作状態が原水Ｗａの吐き出しである状態を示し、図１６（ｂ）は、水栓装置１２の動作状態が改質水Ｗｂの吐き出しである状態を示す。押しボタン４０は、図１６の上段は、吐水部１６から吐き出される水を示し、図１６の下段は、押しボタン４０や回転ハンドル３８の平面視での位置を示す。図１７も同様である。
【００７３】
位置切替機構６２は、押しボタン４０により変更される操作対象の動作状態に応じた複数の異なる保持位置に押しボタン４０を保持する。本実施形態の押しボタン４０は、原水Ｗａの吐き出しと改質水Ｗｂの吐き出しとの間で、水栓装置１２の動作状態を変更する。押しボタン４０は、水栓装置１２が原水Ｗａを吐き出している状態のときに第１保持位置Ｐａ１に配置され、水栓装置１２が改質水Ｗｂを吐き出している状態のときに第２保持位置Ｐａ２に配置される。
【００７４】
押しボタン４０は、第２保持位置Ｐａ２にあるとき、第１保持位置Ｐａ１にあるときより、回転ハンドル３８の先端開口部３８ｂ（図４も参照）からの突出量が大きくなる。これにより、押しボタン４０の保持位置を用いて、押しボタン４０により選択されている操作対象の動作状態を表示可能となる。
【００７５】
図１７は、回転ハンドル３８の保持位置と操作対象（水栓装置１２）の動作状態との関係を示す図である。図１７（ａ）は、水栓装置１２の動作状態がストレート吐水であるときの回転ハンドル３８を示し、図１７（ｂ）は、水栓装置１２の動作状態がシャワー吐水であるときの回転ハンドル３８を示す。
【００７６】
水栓本体１４の第１筒状部４３ａは、回転ハンドル３８により変更可能な水栓装置１２の動作状態を表示する状態表示部８０Ａ、８０Ｂを有する。状態表示部８０Ａ、８０Ｂは、凹部や凸部の凹凸構造や、模様や色彩の違いを用いて、ピクトグラム、文字等の記号の表示態様により水栓装置１２の動作状態を表示する。本実施形態の回転ハンドル３８による変更対象は、水栓装置１２の吐水部１６の吐水態様である。状態表示部８０Ａ、８０Ｂには、水栓装置１２の動作状態がストレート吐水であることを示す第１状態表示部８０Ａと、水栓装置１２の動作状態がシャワー吐水であることを示す第２状態表示部８０Ｂとが含まれる。本実施形態の状態表示部８０Ａ、８０Ｂは第１筒状部４３ａの外周面に設けられる。
【００７７】
回転ハンドル３８は、状態表示部８０Ａ、８０Ｂと協働して、回転ハンドル３８により選択されている水栓装置１２の動作状態を特定するための状態特定部８２を有する。本実施形態の状態特定部８２は、回転ハンドル３８の外周面に設けられる。状態特定部８２は、凹部や凸部の凹凸構造や、模様や色彩の違いを用いて構成される。本実施形態の状態特定部８２は回転ハンドル３８の外周面に設けられた滑り止め構造のない箇所により構成される。本実施形態の状態特定部８２は、状態表示部８０Ａ、８０ＢとＸ方向に重なる位置に配置されることで、複数の状態表示部８０Ａ、８０Ｂのなかから一つの状態表示部８０Ａ、８０Ｂを特定する機能を果たす。状態特定部８２により特定される状態表示部８０Ａ、８０Ｂは、回転ハンドル３８により選択されている水栓装置１２の動作状態を示す。
【００７８】
（Ｅ）これにより、回転ハンドル３８の近くの押しボタン４０の保持位置をみれば、押しボタン４０により選択されている水栓装置１２の動作状態を把握できる。また、回転ハンドル３８の近くの状態特定部８２をみれば、回転ハンドル３８により選択されている水栓装置１２の動作状態を把握できる。つまり、回転ハンドルの近くをみるだけで、回転ハンドル３８や押しボタン４０により選択されている水栓装置１２の動作状態を容易に把握できる。
【００７９】
図６に戻り、押しボタン４０は、回転ハンドル３８の内側に配置される内側部材８４と、内側部材８４に対して先端側に配置されて外部に露出する外側部材８６とを有する。本実施形態において、前述の押しボタン４０の端面部４０ａは内側部材８４と外側部材８６が構成し、中空軸部４０ｂは内側部材８４が構成する。内側部材８４と外側部材８６は、互いにＸ方向に対向する箇所に設けられた凹部と凸部の圧入を伴う嵌め合い等を用いて一体化される。内側部材８４は、押しボタン４０の保持位置によらず、回転ハンドル３８により少なくとも一部が覆われている。外側部材８６は、押しボタン４０の保持位置によらず、その外周面や反押圧方向Ｘｏの端面の少なくとも一部が外部に露出している。
【００８０】
この利点を説明する。外側部材８６は外部に露出するため、意匠性を考慮して、外側部材８６の模様、色彩等の形態を設計したり、さわり心地を考慮して、摩擦係数等の表面性状を設計できる。内側部材８４は、回転ハンドル３８の内側で回転ハンドル３８により覆われるため、意匠性やさわり心地を考慮せず、他の目的を実現するように設計できる。つまり、外側部材８６と内側部材８４で異なる目的を実現するように設計でき、設計上の自由度の向上を図れる。
【００８１】
回転ハンドル３８の内周面と対向する内側部材８４の外周面は、外側部材８６の外周面より摩擦抵抗が小さくなるように設定される。本実施形態において、内側部材８４は樹脂を素材として構成され、外側部材８６は金属を素材として構成される。
【００８２】
この利点を説明する。回転ハンドル３８の回転操作をするとき、回転ハンドル３８の内周面が内側部材８４の外周面に対する接触を伴い摺動する場合がある。この場合に、内側部材８４の外周面の摩擦抵抗が外側部材８６の外周面の摩擦抵抗以上になるときと比べ、その摺動抵抗を抑えられる。この結果、このような場合でも、回転ハンドル３８に入力すべき荷重を小さくでき、ユーザの操作性が良好になる。なお、押しボタン４０の押圧操作をするときも同様に、回転ハンドル３８の内周面に対する押しボタン４０の摺動抵抗を抑えられるので、押しボタン４０に入力すべき荷重を小さくできる。
【００８３】
内側部材８４の外周面と外側部材８６の外周面との摩擦抵抗の具体的な大きさは、ユーザの操作性との関係で要求される性能に応じて、実験的手法、統計的手法等を用いて定めればよい。
【００８４】
押しボタン４０の外周壁部は、第１保持位置Ｐａ１にあるとき、回転ハンドル３８の内側に配置される内側意匠部４０ｄと、回転ハンドル３８の外側に露出する外側意匠部４０ｅとを有する。内側意匠部４０ｄは、図１６に示すように、第２保持位置Ｐａ２にあるとき、回転ハンドル３８の先端開口部３８ｂからはみ出しており、回転ハンドル３８の外側に露出する。本実施形態の内側意匠部４０ｄは内側部材８４が構成し、外側意匠部４０ｅは外側部材８６が構成する。内側意匠部４０ｄと外側意匠部４０ｅとは、形状、模様及び色彩の少なくとも一つが異なるように設けられる。本実施形態においては、外側意匠部４０ｅにはステンレス調の銀色の色彩が設けられ、内側意匠部４０ｄには青色の色彩が設けられる。これにより、押しボタン４０の保持位置の違いを把握し易くなり、押しボタン４０により選択されている水栓装置１２の動作状態を把握し易くなる。
【００８５】
図３に示すように、回転ハンドル３８は、吐水部１６が設けられる水栓本体１４の第２筒状部４３ｂとは異なる箇所に設けられる。本実施形態では、水栓本体１４の第１筒状部４３ａの先端部４３ｃに設けられる。水栓本体１４のスパウト部１８の先端側部分に設けられるとも捉えられる。
【００８６】
（Ｆ）これにより、吐水部１６から離れた箇所で回転ハンドル３８や押しボタン４０を操作でき、吐水部１６から吐き出される水によって、ユーザの手や腕が濡れる事態を避けられる。
【００８７】
図２、図３に示すように、回転ハンドル３８が設けられる水栓本体１４の第１筒状部４３ａの先端部４３ｃは、カウンター２６の正面側を向くように設けられる。この条件は、水栓本体１４が基体２４に鉛直方向軸周りに回転可能に設置される場合、その回転可能範囲の一部で満たしていればよい。
【００８８】
（Ｇ）このような条件を満たすことで、カウンター２６の正面側に居るユーザから見て、回転ハンドル３８や押しボタン４０の視認性が良好になり、ユーザの操作性が良好となる。特に、本実施形態では、回転ハンドル３８や押しボタン４０による水栓装置１２の動作状態の変更態様に関して、吐水部１６の吐水態様の切り替えと、吐水部１６から吐き出される水の種類の切り替えとを採用している。これらはユーザによる使用頻度が多く、そのような変更動作を視認性がよく、かつ、集約された箇所にある操作体を用いて実現できるため、ユーザによる操作性が特に良好となる。また、このような使用頻度の多い変更動作に用いる箇所が集約されるため、吐水部１６の近傍に他の用途で用いられる操作部材を組み込むことができ、更なる付加価値の向上を図れる。
【００８９】
ちなみに、第１筒状部４３ａの先端開口部の中心軸線Ｌｃは、回転ハンドル３８や押しボタンの視認性を高める観点から、水平方向に沿った方向または斜め上方向に設定されると好ましい。
【００９０】
回転ハンドル３８は、水栓本体１４の第１筒状部４３ａのＸ方向での延長上に設けられる。本実施形態の回転ハンドル３８は、第１筒状部４３ａの外周面のＸ方向での延長上に設けられる。
【００９１】
これにより、第１筒状部４３ａの延長上に回転ハンドル３８がない場合と比べ、回転ハンドル３８をユーザが掴み易くなり、回転ハンドル３８の操作性が良好になる。
【００９２】
図４に示すように、兼用弁体３６が兼ねる第１可動弁体３５Ａや第２可動弁体３５Ｂは、水栓本体１４の第１筒状部４３ａの内側に配置される。第１連動機構６０Ａや第２連動機構６０Ｂも水栓本体１４の第１筒状部４３ａの内側に配置される。
【００９３】
（Ｈ）これにより、水栓本体１４の第２筒状部４３ｂの内側に第１可動弁体３５Ａや第２可動弁体３５Ｂを配置するより、第２筒状部４３ｂの大型化を避けられ、良好な意匠性を得られる。このような観点から、第１可動弁体３５Ａや第２可動弁体３５Ｂは、少なくとも一部が第１筒状部４３ａの内側に配置されていればよい。
【００９４】
図６に示すように、押しボタン４０の少なくとも一部は、回転ハンドル３８の内側に配置される。本実施形態では、押しボタン４０の内側部材８４が回転ハンドル３８の内側に配置される。また、押しボタン４０の外側部材８６は回転ハンドル３８の外側に配置される。本実施形態の押しボタン４０は、回転ハンドル３８の先端開口部３８ｂから一部がはみ出した状態になる。
【００９５】
これにより、回転ハンドル３８の内側のスペースを有効に活用して押しボタン４０を配置でき、押しボタン４０の全体が回転ハンドル３８の外側に配置される場合と比べ、操作装置１０全体のＸ方向での寸法の小型化を図れる。
【００９６】
回転ハンドル３８には、回転ハンドル３８の内周面を径方向内側から覆う筒状の摩擦低減部材８８が取り付けられている。摩擦低減部材８８は、押しボタン４０が押圧操作を受けたときに押しボタン４０がＸ方向に動く範囲で、回転ハンドル３８の内周面を覆うように設けられる。摩擦低減部材８８の内周面は、回転ハンドル３８の内周面より摩擦抵抗が小さくなるように設定される。これにより、摩擦低減部材８８は、回転ハンドル３８の内周面に対して押しボタン４０が直接に接触するより、押しボタン４０に付与される摩擦抵抗を低減できる。
【００９７】
図６に示すように、回転ハンドル３８の小外径部３８ｄは第１筒状部４３ａの先端部４３ｃの内側に配置される。押しボタン４０の中空軸部４０ｂや、第２連動機構６０Ｂの構成部品となる受け部材６８、回転子７０、シャフト６４は、第１筒状部４３ａの先端部の内側で、かつ、回転ハンドル３８の内側に配置される。第１筒状部４３ａの先端部４３ｃの内側で、かつ、回転ハンドル３８の内側には、押しボタン４０の押圧操作を受けて押圧方向Ｘｐに移動する部材が配置されるともいえる。本実施形態では、第１筒状部４３ａの先端部４３ｃの内側で、かつ、回転ハンドル３８の内側には、第１連動機構６０Ａの構成部品となる受け部材６８等が配置されるともいえる。
【００９８】
これにより、第１筒状部４３ａの先端部４３ｃの内側スペースを有効に活用して、回転ハンドル３８や、押しボタン４０又は第２連動機構６０Ｂを配置できる。よって、これらの配置スペースを別に分けるよりも操作装置１０の小型化を図れる。このような観点から、筒状部４３ａの先端部４３ｃの内側で、かつ、回転ハンドル３８の内側には、押しボタン４０または第２連動機構６０の少なくとも一方が配置されていればよい。
【００９９】
前述のように、押しボタン４０は、押圧操作を受けて前述の保持位置Ｐａ１、Ｐａ２から動作位置Ｐｂ（図１５参照）まで移動した後、押圧操作が解除されることによって、兼用弁体３６の回転を伴い水栓装置１２の動作状態を変更可能である。ここでの動作位置Ｐｂとは、回転子７０が前述の規制解除位置にあるときに押しボタン４０が位置する箇所をいう。
【０１００】
押しボタン４０は、このような動作位置Ｐｂに位置するとき、回転ハンドル３８の先端開口部３８ｂから反押圧方向Ｘｏの外側に少なくとも一部がはみ出すように設けられる。この利点を説明する。たとえば、ユーザの手のひらや手の甲等のような、回転ハンドル３８の先端開口部３８ｂより大きい操作箇所で押しボタン４０を押圧操作する場合を考える。この場合に、押しボタン４０を保持位置Ｐａ１、Ｐａ２から動作位置Ｐｂに移動させるまでの間に、回転ハンドル３８の先端開口部３８ｂと前述の操作箇所の間で干渉が生じ難くなる。これに伴い、押しボタン４０の操作性が良好となる。
【０１０１】
同様の効果を得る観点から、押しボタン４０の反押圧方向Ｘｏの先端４０ｆは、前述の動作位置Ｐｂに位置するとき、径方向から見て、回転ハンドル３８の先端開口部３８ｂと重なる位置に設けられていてもよい。押しボタン４０は、回転ハンドル３８の先端開口部３８ｂからはみ出していなくともよいということである。
【０１０２】
また、図６に示すように、本実施形態の押しボタン４０の端面部４０ａは反押圧方向Ｘｏに向かって凸となる曲面状をなす。詳しくは、本実施形態の端面部４０ａは反押圧方向Ｘｏに向かって凸となる球面状をなす。端面部４０ａがなす曲面の反押圧方向Ｘｏでの先端４０ｆは端面部４０ａの中央部に設けられる。ここでの端面部４０ａの中央部４０ｇとは、押しボタン４０を押圧方向Ｘｐに見たとき、端面部４０ａの中央に位置する箇所をいう。
【０１０３】
これにより、押しボタン４０の端面部４０ａが押圧方向Ｘｐに向かって凹となる曲面状をなす場合と比べ、その端面部４０ａの中央部４０ｇを押圧方向Ｘｐに沿って真っ直ぐに押圧し易くなる。これに伴い、押しボタン４０から第２連動機構６０Ｂの構成部品である回転子７０やシャフト６４に荷重を伝達し易くなり、押しボタン４０の操作性が良好となる。
【０１０４】
（第２の実施の形態）
図１８、図１９は、第２実施形態の操作装置１０を用いた水栓装置１２の一部の側面断面図である。図１８は、吐水部１６からシャワー吐水で水を吐き出している状態を示し、図１９は、ストレート吐水で水を吐き出している状態を示す。本実施形態の吐水部１６は、ストレート吐水穴１６ａ及びシャワー吐水穴１６ｂの両方から吐き出される水を合流させることで、ストレート吐水で水を吐き出し可能である。本実施形態の吐水部１６は、シャワー吐水穴１６ｂのみから水を吐き出すことで、シャワー吐水で水を吐き出し可能である。
【０１０５】
装置本体４２の内部には、前述の原水水路３０Ａと、改質水水路３０Ｂと、ストレート用水路３２Ａと、シャワー用水路３２Ｂが形成される。本図では、説明の便宜のため、一部の水路に矢印を付して示す。装置本体４２の内部には、原水水路３０Ａに通じる原水用弁孔５６Ｃ（第１上流側水路用弁孔）と、改質水水路３０Ｂに通じる改質水用弁孔５６Ｄ（第２上流側水路用弁孔）と、原水用弁孔５６Ｃ及び改質水用弁孔５６Ｄの両方に通じる共通水路９０と、共通水路９０に通じるストレート用弁孔５６Ａとが形成される。本実施形態の共通水路９０は、シャワー用水路３２Ｂに常時連通している。
【０１０６】
本実施形態の回転ハンドル３８は押しボタン４０を兼ねている。押しボタン４０を兼ねる回転ハンドル３８は、ユーザによる回転操作を受ける外周壁部３８ｃと、ユーザによる押圧操作を受ける端面部４０ａとを有する。
【０１０７】
本実施形態の第１可動弁体３５Ａと第２可動弁体３５Ｂは別体に構成される。本実施形態の第１可動弁体３５Ａは、回転ハンドル３８の回転に連動して、Ｘ方向と交差するＹ方向に移動可能である。第１可動弁体３５Ａは、Ｙ方向に移動することによって、ストレート用弁孔５６Ａを開閉可能である。ストレート用弁孔５６Ａの開閉状態に応じて、共通水路９０とストレート用水路３２Ａとの連通の有無が切り替えられる。
【０１０８】
図１９に示すように、共通水路９０とストレート用水路３２Ａが連通されているとき、共通水路９０からストレート用水路３２Ａを通してストレート吐水穴１６ａに水が供給されるとともに、シャワー用水路３２Ｂを通してシャワー吐水穴１６ｂに水が供給される。この結果、吐水部１６からストレート吐水で水を吐き出される。一方、図１８に示すように、共通水路９０とストレート用水路３２Ａの連通が絶たれているとき、共通水路９０からシャワー用水路３２Ｂを通してシャワー吐水穴１６ｂにのみ水が供給される。この結果、吐水部１６からシャワー吐水で水が吐き出される。
【０１０９】
このように、第１可動弁体３５Ａは、回転ハンドル３８の回転に連動してＹ方向に移動することによって、水栓装置１２の動作状態を第１変更態様で変更させることが可能である。本実施形態の第１可動弁体３５Ａは、複数の下流側水路３２Ａ、３２Ｂ（ストレート用水路３２Ａ、シャワー用水路３２Ｂ）のなかからいずれかの下流側水路３２Ａ、３２Ｂに通水経路を切り替えることで、水栓装置１２の動作状態を択一的に切り替える。このように、通水経路を切り替えるうえでは、単数の下流側水路３２Ａ、３２Ｂを通水経路にした状態と、複数の下流側水路３２Ａ、３２Ｂを通水経路にした状態とを切り替えてもよい。
【０１１０】
第２可動弁体３５Ｂは、押しボタン４０のＸ方向での動きに連動して、Ｘ方向に移動可能である。第２可動弁体３５Ｂは、Ｘ方向に移動することによって、原水用弁孔５６Ｃと改質水用弁孔５６Ｄのうちの一方のみを閉じるように、これらを開閉可能である。詳しくは、第２可動弁体３５Ｂは、押圧方向Ｘｐに移動することによって、原水用弁孔５６Ｃを閉じるとともに、改質水用弁孔５６Ｄを開ける第１弁体位置に配置される。また、第２可動弁体３５Ｂは、反押圧方向Ｘｏに移動することによって、原水用弁孔５６Ｃを開くとともに、改質水用弁孔５６Ｄを閉じる第２弁体位置に配置される。
【０１１１】
図１８に示すように、改質水用弁孔５６Ｄが閉じているとき、開いている原水用弁孔５６Ｃを通して原水水路３０Ａと共通水路９０が連通する。このとき、原水水路３０Ａから共通水路９０に原水が供給され、共通水路９０から下流側水路３２Ａ、３２Ｂに原水が供給され、吐水部１６から原水が吐き出される。一方、図１９に示すように、原水用弁孔５６Ｃが閉じているとき、開いている改質水用弁孔５６Ｄを通して改質水水路３０Ｂと共通水路９０が連通する。このとき、改質水水路３０Ｂから共通水路９０に改質水が供給され、共通水路９０から下流側水路３２Ａ、３２Ｂに改質水が供給される。この結果、吐水部１６から改質水が吐き出される。
【０１１２】
このように、第２可動弁体３５Ｂは、押しボタン４０のＸ方向での動きに連動してＸ方向に移動することによって、水栓装置１２の動作状態を第２変更態様で変更させることが可能である。本実施形態の第２可動弁体３５Ｂは、複数の上流側水路３０Ａ、３０Ｂ（原水水路３０Ａ、改質水水路３０Ｂ）のなかからいずれかの上流側水路３０Ａ、３０Ｂに通水経路を切り替えることで、水栓装置１２の動作状態を択一的に切り替える。
【０１１３】
図２０（ａ）は、図１８のＥ−Ｅ線断面図であり、図２０（ｂ）は、図１９のＦ−Ｆ線断面図である。第１連動機構６０Ａは、回転ハンドル３８の回転に連動して、第２可動弁体３５Ｂを回転させることが可能であるとともに、第２運動変換機構９２によって、第２可動弁体３５Ｂの回転を第１可動弁体３５ＡのＹ方向での動きに変換させることが可能である。第２運動変換機構９２はカム機構であり、第２可動弁体３５Ｂの外周面に設けられる第２カム部９２ａと、第２カム部９２ａを受ける第２カム受け部９２ｂとを有する。第２可動弁体３５Ｂと一体的に第２カム部９２ａがＸ方向軸周りの一方側に回転すると、その第２カム部９２ａが第２カム受け部９２ｂと接触し、第２カム部９２ａが第１可動弁体３５ＡをＹ方向の一方側（図２０の上側）に動かす（図２０（ｂ）参照）。
【０１１４】
第１連動機構６０Ａは、第２可動弁体３５ＢをＹ方向の他方側に付勢する第３付勢部材９４を備える。第２可動弁体３５Ｂと一体的に第２カム部９２ａがＸ方向軸周りの他方側に回転すると、その第２カム部９２ａと第２カム受け部９２ｂの接触が解除される。これに伴い、第３付勢部材９４の付勢力により第１可動弁体３５ＡがＹ方向の他方側（図２０の下側）に動かされる（図２０（ａ）参照）。
【０１１５】
第２連動機構６０Ｂは、押しボタン４０が押圧操作される毎に、第１可動弁体３５ＡのＸ方向での位置を切り替え可能に保持する。このような機能を実現するため、第２連動機構６０Ｂには、スラストロック機構が組み込まれるが、ハートカム機構、回転カム機構、ラチェットカム機構等が組み込まれてもよい。第２連動機構６０Ｂは、押しボタン４０が押圧操作される度に、第１弁体位置と第２弁体位置の間で、第１可動弁体３５Ａの位置を切り替える。
【０１１６】
本実施形態の操作装置１０によっても、（Ａ１）、（Ａ２）、（Ｂ）、（Ｆ）、（Ｇ）、（Ｈ）の効果を得られる。
【０１１７】
（第３の実施の形態）
図２１、図２２は、第３実施形態の操作装置１０を用いた水栓装置１２の一部の側面断面図である。図２１は、吐水部１６からシャワー吐水で水を吐き出している状態を示し、図２２は、ストレート吐水で水を吐き出している状態を示す。本実施形態の吐水部１６は第２実施形態と同様の構成である。
【０１１８】
本実施形態の装置本体４２の内部にも、第２実施形態と同様、原水水路３０Ａと、改質水水路３０Ｂと、共通水路９０と、ストレート用水路３２Ａと、シャワー用水路３２Ｂが形成される。
【０１１９】
本実施形態の第１可動弁体３５Ａは、回転ハンドル３８の回転に連動して回転可能な回転弁体である。本実施形態の第１可動弁体３５Ａによる水栓装置１２の動作状態の変更態様（第１変更態様）は、吐水部１６から吐き出される水の種類の切り替えである。
【０１２０】
図２３（ａ）は、図２１の第１可動弁体３５ＡのＧ−Ｇ線断面図であり、図２３（ｂ）は、図２３（ａ）の位置から第１可動弁体３５Ａを回転させた状態を示す図である。第１可動弁体３５Ａには、共通水路９０に連通する通水孔５８Ｃが形成される。通水孔５８Ｃは、第１可動弁体３５Ａが回転することによって、複数の上流側水路３０Ａ、３０Ｂ（原水水路３０Ａ、改質水水路３０Ｂ）のいずれかの上流側水路３０Ａ、３０Ｂに択一的に連通される。
【０１２１】
図２３（ａ）に示すように、第１可動弁体３５Ａの通水孔５８Ｃが原水水路３０Ａに連通される位置に配置されるとき、通水孔５８Ｃを通して原水水路３０Ａと共通水路９０が連通する。このとき、原水水路３０Ａから共通水路９０を通して原水が供給され、共通水路９０から下流側水路３２Ａ、３２Ｂに原水が供給され、吐水部１６から原水が供給される。一方、図２３（ｂ）に示すように、第１可動弁体３５Ａの通水孔５８Ｃが改質水水路３０Ｂに連通される位置に配置されるとき、通水孔５８Ｃを通して改質水水路３０Ｂと共通水路９０が連通する。このとき、改質水水路３０Ｂから共通水路９０を通して改質水が供給され、共通水路９０から下流側水路３２Ａ、３２Ｂに改質水が供給され、吐水部１６から改質水が吐き出される。
【０１２２】
このように、第１可動弁体３５Ａは、回転ハンドル３８の回転に連動して回転することによって、水栓装置１２の動作状態を第１変更態様で変更させることが可能である。
【０１２３】
第２可動弁体３５Ｂは、押しボタン４０のＸ方向での動きに連動して、Ｘ方向と直交するＹ方向に移動可能である。本実施形態の第２可動弁体３５Ｂによる水栓装置１２の動作状態の変更態様（第２変更態様）は、吐水部１６の吐水態様の切り替えである。
【０１２４】
第２可動弁体３５Ｂは、Ｙ方向に移動することによって、ストレート用弁孔５６Ａを開閉可能である。ストレート用弁孔５６Ａの開閉状態に応じて、共通水路９０とストレート用水路３２Ａとの連通の有無が切り替えられる。ストレート用弁孔５６Ａの開閉状態に応じて、第２実施形態と同様、吐水部１６の吐水態様が切り替えられる。
【０１２５】
第１連動機構６０Ａは、回転ハンドル３８の回転に連動して、第１可動弁体３５Ａを回転させることが可能である。
【０１２６】
第２連動機構６０Ｂは、押しボタン４０のＸ方向での動きに連動して、退避位置と進出位置との間で、Ｘ方向での位置を切り替え可能な第２シャフト６５を有する。このような機能を実現するため、第２連動機構６０Ｂには、ハートカム機構が組み込まれるが、スラストロック機構、回転カム機構、ラチェットカム機構等が組み込まれてもよい。
【０１２７】
第２連動機構６０Ｂは、第２シャフト６５が退避位置から進出位置に移動するとき、第２シャフト６５のＸ方向での動きを第２可動弁体３５ＢのＹ方向の一方側（図２１の上側）への動きに変換する。第２連動機構６０Ｂは、第２可動弁体３５ＢをＹ方向の他方側（図２１の下側）に付勢する第３付勢部材９４を有する。第２シャフト６５が進出位置にあるとき、第２可動弁体３５Ｂは、ストレート用弁孔５６Ａを開く。第２シャフト６５が退避位置にあるとき、第２可動弁体３５Ｂは、第３付勢部材９４の付勢力によって動くことで、ストレート用弁孔５６Ａを閉じる。
【０１２８】
本実施形態の操作装置１０によっても、（Ａ１）、（Ａ２）、（Ｂ）、（Ｆ）、（Ｇ）、（Ｈ）の効果を得られる。
【０１２９】
以上、実施形態をもとに本発明を説明した。次に、各構成要素の変形例を説明する。
【０１３０】
水栓本体１４のスパウト部１８は、単数の筒状部のみを有していてもよい。操作装置１０の装置本体４２は水栓本体１４が兼ねる例を説明したが、水栓本体１４とは別体に設けられていてもよい。
【０１３１】
弁体３５Ａ、３５Ｂ、３６により複数の水路のなかからいずれかの水路に通水経路を切り替えるうえで、切り替え対象となる水路の数は特に限定されない。たとえば、上流側水路３０Ａ、３０Ｂや下流側水路３２Ａ、３２Ｂは、実施形態のように二つではなく、三つ以上あってもよい。弁体３５Ａ、３５Ｂ、３６は、このように通水経路を切り替えるうえで、複数の水路のなかの二つ以上の水路に通水経路を切り替えてもよい。つまり、弁体３５Ａ、３５Ｂ、３６は、複数の水路のなかの少なくとも一つの水路に通水経路を切り替えられればよい。
【０１３２】
弁体３５Ａ、３５Ｂ、３６を用いた水栓装置１２の動作状態の変更態様は、吐水部１６の吐水態様の切り替え、吐水部１６から吐き出される水の切り替えを例に説明した。この変更態様は、水栓装置１２の動作状態を変更させるものであればよく、これらの例に限定されない。たとえば、変更態様は、吐水部１６から吐き出される水の流量や温度の変更でもよいし、吐水部１６の吐水状態と止水状態の間での切り替えでもよい。また、変更態様は、水栓装置１２が複数の吐水部１６を備える場合、水を吐き出している吐水部１６の切り替えでもよい。
【０１３３】
また、弁体３５Ａ、３５Ｂ、３６は、複数の水路のなかからいずれかの水路に通水経路を切り替えるのではなく、単数の水路の開度を変更することで、水栓装置１２の動作状態を変更してもよい。これは、たとえば、水栓装置１２の動作状態の変更態様が、吐水部１６から吐き出される水の流量や温度の変更である場合である。また、弁体３５Ａ、３５Ｂ、３６は、複数の水路のなかからいずれかの水路に通水経路を切り替えることで、吐水部１６から吐き出される水の流量や温度を変更させてもよい。
【０１３４】
第１可動弁体３５Ａや第２可動弁体３５Ｂのいずれかは、水栓装置１２の動作状態を変更させるうえで、水栓装置１２の給水路３０を構成する一部の水路の開度を変化させてもよい。第１可動弁体３５Ａ及び第２可動弁体３５Ｂの一方が、複数の水路のなかの少なくとも一つの水路に通水経路を切り替えることで、水栓装置１２の動作態様を変更させることが可能であればよいということである。
【０１３５】
回転ハンドル３８や押しボタン４０に連動する兼用弁体３６の動き方は特に限定されない。兼用弁体３６は、たとえば、回転ハンドル３８の回転に連動して直動してもよいし、押しボタン４０の動きに連動して直動してもよい。いずれにしても、兼用弁体３６は、回転ハンドル３８や押しボタン４０の動きに連動して水栓装置１２の動作態様を変化させることが可能であればよい。水栓装置１２の動作態様を異なる変更態様で変更するうえで、兼用弁体３６の第１回転態様や第２回転態様は特に限定されない。
【０１３６】
同様に、回転ハンドル３８の回転に連動する第１可動弁体３５Ａの動き方は特に限定されない。また、押しボタン４０のＸ方向での動きに連動する第２可動弁体３５Ｂの動き方も特に限定されない。
【０１３７】
第１可動弁体３５Ａと第２可動弁体３５Ｂとが別体の場合、回転弁体は第１可動弁体３５Ａが構成してもよいし、第２可動弁体３５Ｂが構成してもよい。この場合、回転弁体を構成する第１可動弁体３５Ａまたは第２可動弁体３５Ｂに対応する連動機構は、回転ハンドル３８の回転または押しボタン４０のＸ方向での動きに連動して、回転弁体を押圧方向Ｘｐに移動させてもよい。この場合でも前述の（Ｄ）で説明した効果を得られる。
【０１３８】
回転ハンドル３８は、吐水部１６が設けられる水栓本体１４の第２筒状部４３ｂに設けられていてもよい。押しボタン４０は、内側部材８４と外側部材８６を有する例を説明したが、一体成形品が構成していてもよい。
【０１３９】
前述の（Ｃ）の効果を得るうえでは、第１連動機構６０Ａの少なくとも一部の構成部品が第２連動機構６０Ｂの少なくとも一部の構成部品を兼ねていればよい。
【０１４０】
位置切替機構６２は、スラストロック機構を例に説明したが、その具体例は特に限定されない。位置切替機構６２は、たとえば、ハートカム機構、回転カム機構、ラチェットカム機構等でもよい。運動変換機構はカム機構に限定されず、ラックアンドピニオン等の歯車機構でもよい。
【０１４１】
前述の効果（Ｅ）を得るうえで、装置本体４２の第１筒状部４３ａではなく回転ハンドル３８が状態表示部８０Ａ、８０Ｂを有し、回転ハンドル３８ではなく装置本体４２の第１筒状部４３ａが状態特定部８２を有していてもよい。また、状態表示部８０Ａ、８０Ｂは複数ではなく単数でもよい。これは、弁体３６が水の流量や温度を連続的に変更させる場合に、その流量や温度をレベルメータ等のメータを用いて表示する場合を想定している。いずれの場合でも、状態表示部８０Ａ、８０Ｂと協働して、回転ハンドル３８により選択されている水栓装置１２の動作状態を特定できればよい。単数の状態表示部がメータの場合、状態特定部８２はメータのレベルを特定する指針が構成してもよい。
【０１４２】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【０１４３】
以上の実施形態、変形例により具体化される発明を一般化すると、以下の技術的思想が導かれる。以下、発明が解決しようとする課題に記載の態様を用いて説明する。
【０１４４】
第２態様の操作装置は、第１態様において、前記第１可動弁体と前記第２可動弁体を兼ねる兼用弁体を備えてもよい。
この態様によれば、第１可動弁体と第２可動弁体を別体に構成する場合と比べ、操作装置の部品点数を削減できる。
【０１４５】
第３態様の操作装置は、第２態様において、前記兼用弁体は、前記第１回転態様で回転させられることにより前記水栓装置の動作状態を第１変更態様で変更させることが可能であり、前記第２回転態様で回転させられることにより前記水栓装置の動作状態を第２変更態様で変更させることが可能であってもよい。
この態様によれば、兼用弁体を回転させるだけで、水栓装置の動作状態の異なる変更態様での変更を実現できる。
【０１４６】
第４態様の操作装置は、第１から第３態様のいずれかにおいて、前記回転操作体の回転または前記押圧操作体の前記第１方向での動きに連動して前記第１可動弁体または前記第２可動弁体を回転させる連動機構と、前記連動機構により回転させられる弁体である回転弁体が着座するとともに弁孔が形成された固定弁体と、を備え、前記回転弁体は、前記連動機構により回転させられることにより前記弁孔を開閉可能であり、前記連動機構は、前記回転操作体の回転または前記押圧操作体の前記第１方向での動きに連動して、前記回転弁体を前記固定弁体から離れる方向に動かすことが可能であってもよい。
この態様によれば、回転弁体が回転することで弁孔を開閉する場合に、回転弁体が固定弁体に固着したときでも、回転弁体を固定弁体から容易に引き離せる。
【０１４７】
第５態様の操作装置は、第１から第４態様のいずれかにおいて、前記回転操作体の回転に連動して、前記水栓装置の動作状態を変更させるように前記第１可動弁体を作動させることが可能な第１連動機構と、前記押圧操作体の前記第１方向での動きに連動して、前記水栓装置の動作状態を変更させるように前記第２可動弁体を作動させることが可能な第２連動機構と、を備え、前記第１連動機構の一部の構成部品は、前記第２連動機構の一部の構成部品を兼ねていてもよい。
この態様によれば、各連動機構の構成部品を別体にする場合と比べ、操作装置の部品点数を削減できる。
【０１４８】
第６態様の操作装置は、第１から第５態様のいずれかにおいて、前記回転操作体が設けられる筒状部を有する装置本体を備え、前記回転操作体は、前記筒状部の前記回転軸方向での延長上に設けられ、前記押圧操作体の少なくとも一部は、前記回転操作体の内側に配置されてもよい。
この態様によれば、回転操作体の内側のスペースを有効に活用して押圧操作体を配置できる。
【０１４９】
第７態様の操作装置は、第１から第６態様のいずれかにおいて、前記押圧操作体は、前記回転操作体の内側に配置される内側部材と、前記内側部材に対して前記押圧操作体が押圧される押圧方向とは反対側に配置されて外部に露出する外側部材と、を有してもよい。
この態様によれば、外側部材と内側部材で異なる目的を実現するように設計でき、設計上の自由度の向上を図れる。
【０１５０】
第８態様の操作装置は、第７態様において、前記回転操作体の内周面と対向する前記内側部材の外周面は、前記外側部材の外周面より摩擦抵抗が小さくなるように設定されてもよい。
この態様によれば、内側部材の外周面の摩擦抵抗が外側部材の外周面の摩擦抵抗以上になるときと比べ、回転操作体の回転操作をするときに、回転操作体に入力すべき荷重を小さくできる。
【０１５１】
第９態様の操作装置は、第１から第８態様のいずれかにおいて、前記回転操作体が設けられる筒状部を有する装置本体と、前記押圧操作体が押圧操作を受ける毎に、前記第１方向での位置を切り替え可能に前記押圧操作体を保持する位置切替機構と、を備え、前記回転操作体及び前記筒状部の一方は、前記回転操作体により変更可能な前記水栓装置の動作状態を表示する状態表示部を有し、前記回転操作体及び前記筒状部の他方は、前記状態表示部と協働して、前記回転操作体により選択されている前記水栓装置の動作状態を特定するための状態特定部を有してもよい。
この態様によれば、回転操作体の近くをみるだけで、回転操作体や押圧操作体により選択されている水栓装置の動作状態を容易に把握できる。
【０１５２】
第１０態様の操作装置は、第１から第９態様のいずれかにおいて、前記第１可動弁体は、前記回転操作体の回転に連動して、前記水栓装置の動作状態を択一的に切り替え可能であり、前記第２可動弁体は、前記押圧操作体の前記第１方向での動きに連動して、前記水栓装置の動作状態を択一的に切り替え可能であってもよい。
この態様によれば、４パターン以上の水栓装置の動作状態の切り替えを実現するうえでも、ユーザにより操作される箇所を回転操作体の近くに集約でき、ユーザの操作性が良好となる。
【０１５３】
第１１態様の操作装置は、前記回転操作体が先端部に設けられる筒状部を有する装置本体と、前記押圧操作体の前記第１方向での動きに連動して、前記水栓装置の動作状態を変更させるように前記第２可動弁体を作動させることが可能な第２連動機構と、を備え、前記回転操作体の一部は、前記筒状部の先端部の内側に配置され、前記押圧操作体または前記第２連動機構の少なくとも一方は、前記筒状部の先端部の内側で、かつ、前記回転操作体の内側に配置されてもよい。
この態様によれば、筒状部の先端部の内側スペースを有効に活用して、回転操作体や、押圧操作体又は第２連動機構を配置できる。よって、これらの配置スペースを別に分けるよりも操作装置の小型化を図れる。
【０１５４】
第１２態様の操作装置は、第１から第１１態様のいずれかにおいて、前記水栓装置は、水栓本体を備え、前記水栓本体は、第１筒状部と、前記第１筒状部の外周部から突出するとともに吐水部が設けられる第２筒状部とを有し、前記回転操作体は、前記第１筒状部の先端部に設けられてもよい。
この態様によれば、水栓本体の第１筒状部の先端部がカウンターの正面側を向くように配置することで、カウンターの正面側に居るユーザから見て、各操作体の視認性が良好になり、ユーザの操作性が良好となる。
【０１５５】
第１３態様の操作装置は、第１から第１２態様のいずれかにおいて、前記水栓装置は水栓本体を備え、前記水栓本体は、第１筒状部と、前記第１筒状部の外周部から突出するとともに吐水部が設けられる第２筒状部とを有し、前記第１可動弁体及び前記第２可動弁体は、前記第１筒状部の内側に配置されてもよい。
この態様によれば、第２筒状部の内側に第１可動弁体や第２可動弁体を配置するより、第２筒状部の大型化を避けられ、良好な意匠性を得られる。
【０１５６】
第１３態様は、第１から第１２態様のいずれかの操作装置を備える水栓装置である。
【符号の説明】
【０１５７】
１０…操作装置、１２…水栓装置、１４…水栓本体、１６…吐水部、１８ａ…第１筒状部、１８ｂ…第２筒状部、３５Ａ…第１可動弁体、３５Ｂ…第２可動弁体、３６…兼用弁体、３８…回転ハンドル（回転操作体）、３８ａ…内部空間、４０…押しボタン（押圧操作体）、４２…装置本体、５０…固定弁体、５６Ａ…弁孔、６０Ａ…第１連動機構、６０Ｂ…第２連動機構、６２…位置切替機構、８０Ａ、８０Ｂ…状態表示部、８２…状態特定部、８４…内側部材、８６…外側部材。
【図１】
2019173437.tif 000003
【図２】
2019173437.tif 000004
【図３】
2019173437.tif 000005
【図４】
2019173437.tif 000006
【図５】
2019173437.tif 000007
【図６】
2019173437.tif 000008
【図７】
2019173437.tif 000009
【図８】
2019173437.tif 000010
【図９】
2019173437.tif 000011
【図１０】
2019173437.tif 000012
【図１１】
2019173437.tif 000013
【図１２】
2019173437.tif 000014
【図１３】
2019173437.tif 000015
【図１４】
2019173437.tif 000016
【図１５】
2019173437.tif 000017
【図１６】
2019173437.tif 000018
【図１７】
2019173437.tif 000019
【図１８】
2019173437.tif 000020
【図１９】
2019173437.tif 000021
【図２０】
2019173437.tif 000022
【図２１】
2019173437.tif 000023
【図２２】
2019173437.tif 000024
【図２３】
2019173437.tif 000025